(57)【要約】【課題】トイレットペーパーの引き出し向きが自分好みの向きとなるようにトイレットロールをホルダーに容易に取り付けることができるためのトイレットロールの芯を提供する。【解決手段】芯１は、周方向のいずれか一方の向きを特定する識別子３が内側面に設けられている。【選択図】図１
2016026543.tif 000002
【特許請求の範囲】
【請求項１】
周方向のいずれか一方の向きを特定する識別子が内側面に設けられている、トイレットロールの芯。
【請求項２】
前記識別子は、軸線方向に複数設けられている、請求項１記載の芯。
【請求項３】
前記識別子は、周方向に複数設けられている、請求項１又は２記載の芯。
【請求項４】
前記識別子は、軸線を中心とする螺旋に沿うように複数設けられている、請求項１〜３のいずれか一項記載の芯。
【請求項５】
前記識別子は、文字、図形、記号、及び凹凸からなる群から選択される少なくとも一種で構成されている、請求項１〜４のいずれか一項記載の芯。
【請求項６】
前記識別子は、印刷、印字、押印又は刻印により設けられている、請求項１〜５のいずれか一項記載の芯。
【請求項７】
軸線方向の長さが１１２ｍｍ〜１１６ｍｍ、又は、２．５ｍ〜３．５ｍである、請求項１〜６のいずれか一項記載の芯。
【請求項８】
トイレットロールの芯の製造方法であって、
前記芯を構成する原紙の面のうち製管した際に内側面となる面に、前記芯の周方向のいずれか一方の向きを特定する識別子を前記原紙の長さ方向に複数設ける工程と、
前記原紙を製管して前記芯を構成する工程と、を有する、トイレットロールの芯の製造方法。
【請求項９】
請求項１〜７のいずれか一項記載の芯と、前記芯に巻回されたトイレットペーパーとを備え、
前記トイレットペーパーは、前記芯の外側面を基端として前記識別子が特定する向きに巻回されている、トイレットロール。
【請求項１０】
周方向のいずれか一方の向きを特定する識別子が内側面に設けられた紙管であって、
前記識別子は、当該紙管の軸線方向に、又は、軸線を中心とする螺旋に沿うように、印刷、印字、押印又は刻印により複数設けられている、紙管。
【発明の詳細な説明】
【技術分野】
【０００１】  本発明は、トイレットロールの芯、及び、トイレットロールに関する。
【背景技術】
【０００２】  従来、紙管にトイレットペーパーが巻回されてなるトイレットロールが知られている。当該紙管は、一般に「芯」と呼ばれている。【０００３】  新品のトイレットロールは、トイレットペーパーが自然に巻き戻されてしまうことがないように、最端部に近い部分が、巻回の一周下の表面に軽く糊付けされている。そして、トイレットペーパーの最端部は、使用者が当該糊付けを剥がすときにつまんで持ち上げられる程度の長さが確保されている。【０００４】  トイレットロールは通常、トイレ内の壁に固定されたホルダーに取り付けて使用する。ホルダーとしては、水平方向に延びる軸棒を有し、これにトイレットロールの芯を外挿するものが普及している。
【先行技術文献】
【特許文献】
【０００５】
【特許文献１】なし
【発明の概要】
【発明が解決しようとする課題】
【０００６】  トイレットロールを最後まで使い切ったら、ホルダーに残った芯を新品のトイレットロールに付け替える。このとき、トイレットペーパーの引き出し向きが自分好みの向きとなるようにトイレットロールを取り付けるためには、糊付けされた部分の周囲を注意深く観察したり、糊付けを剥がしたりして、トイレットペーパーの巻回の向きを把握しなければならない。【０００７】  しかしながら、トイレットペーパーは薄く柔らかいものであるため、糊付けされた部分の周囲を観察しても状況がよく分からなかったり、糊付けを剥がすにもうまく剥がれなかったりして、煩わしい思いをすることがある。挙句、ホルダーへの取り付け向きを間違えると、狭いトイレ内で地団太を踏む羽目になる。【０００８】  そこで本発明は、トイレットペーパーの引き出し向きが自分好みの向きとなるようにトイレットロールをホルダーに容易に取り付けることができるためのトイレットロールの芯、及び、当該芯を備えるトイレットロールを提供することを目的とする。
【課題を解決するための手段】
【０００９】  本発明のトイレットロールの芯は、周方向のいずれか一方の向きを特定する識別子が内側面に設けられている。この芯を備えるトイレットロールは、識別子が特定する向きと、この芯に巻回されるトイレットペーパーの引き出し向きとを揃えることができる。この場合、トイレットロールをホルダーに取り付ける際に、識別子が特定する向きを確認することにより、トイレットペーパーの引き出し向きが自分好みの向きとなるようにトイレットロールをホルダーに容易に取り付けることができる。【００１０】  当該識別子は、軸線方向に複数設けられていてもよい。識別子は、視認のしやすさの観点から芯の両端部に設けられていることが望ましいが、原紙からスパイラルマシンで連続的に製管した長尺の芯を切断してトイレットロールのサイズに個片化するという芯の製造の都合上、芯の両端部のみに識別子が位置するようにすることは容易でなく、現実的でない。従って、識別子が軸線方向に複数設けられているということは、長尺の芯がどこで切断されても個片化された芯の両端部に識別子が位置する確率が高くなるように製管されたということを意味し、こうして製造された芯は、当該芯を備えるトイレットロールの使用者が識別子を視認しやすくなって、都合がよい。【００１１】  また、当該識別子は、周方向に複数設けられていることが好ましい。識別子が周方向に一つしか設けられていない場合は、芯に目を遣ったときにたまたま見える内面部分に識別子が位置しているとは限らず、その場合に識別子を確認するには、芯を軸線回りにいくらか回す必要がある。これに対し、識別子が周方向に複数設けられている場合には、芯を周方向に回転させなくても識別子を視認することができる確率が高くなり、周方向に一つしか設けられていない場合と比べて、識別子の視認性が向上する。【００１２】  また、当該識別子は、軸線を中心とする螺旋に沿うように複数設けられていることが好ましい。これによれば、芯をスパイラルマシンで連続的に製管する場合に、原紙に対して単純な繰り返しパターンとして識別子を設ければよくなるため、識別子を設けやすい。【００１３】  識別子は、文字、図形、記号、及び凹凸からなる群から選択される少なくとも一種で構成されていることが好ましい。これによれば、識別子が特定する向きを容易に表現することができる。【００１４】  識別子は、印刷、印字、押印又は刻印により設けられていることが好ましい。これらの手段は、他の表示方法よりも量産化に適している。【００１５】  本発明の芯は、軸線方向の長さが１１２ｍｍ〜１１６ｍｍ、又は、２．５ｍ〜３．５ｍであることが好ましい。【００１６】  また、本発明は、トイレットロールの芯の製造方法であって、芯を構成する原紙の面のうち製管した際に内側面となる面に、芯の周方向のいずれか一方の向きを特定する識別子を原紙の長さ方向に複数設ける工程と、当該原紙を製管して芯を構成する工程と、を有する、トイレットロールの芯の製造方法を提供する。これによれば、製造された長尺の芯がどこで切断されても個片化された芯の両端部に識別子が位置する確率が高い芯を製管することができる。【００１７】  また、本発明は、上記芯と、この芯に巻回されたトイレットペーパーとを備え、トイレットペーパーは、芯の外側面を基端として識別子が特定する向きに巻回されているトイレットロールを提供する。このトイレットロールは、識別子が特定する向きと、トイレットロールをホルダーに取り付けた後のトイレットペーパーの引き出し向きとが一致する。ゆえに、識別子が特定する向きを把握することにより、トイレットペーパーの引き出し向きが自分好みの向きとなるようにトイレットロールをホルダーに容易に取り付けることができる。【００１８】  また、本発明は、周方向のいずれか一方の向きを特定する識別子が内側面に設けられた紙管であって、識別子は、当該紙管の軸線方向に、又は、軸線を中心とする螺旋に沿うように、印刷、印字、押印又は刻印により複数設けられている、紙管を提供する。
【発明の効果】
【００１９】  本発明によれば、トイレットペーパーの引き出し向きが自分好みの向きとなるようにトイレットロールをホルダーに容易に取り付けることができるためのトイレットロールの芯、及び、当該芯を備えるトイレットロールが提供される。
【図面の簡単な説明】
【００２０】
【図１】（ａ）芯の外観図である。（ｂ）芯を軸線方向に沿って切り開いた展開図である。
【図２】識別子の様々な態様を示す図である。
【図３】トイレットロールの斜視図である。
【図４】他の実施形態の芯を軸線方向に沿って切り開いた展開図である。
【発明を実施するための形態】
【００２１】  以下、本発明の好適な実施形態について詳細に説明する。なお、参照する図面においては同一部分又は相当部分には同一符号を付し、重複する説明は省略する。
【００２２】［用語の定義］
本明細書で使用する用語について、以下のとおり定義する。
・「トイレットロール」とは、「トイレットロールの芯」に、「トイレットペーパー」が巻回されているものをいう。
・「トイレットロールの芯」は単に「芯」ともいう。「芯」は、製管後に任意の長さに調整された状態のものと、消費者の手元に届く製品としてのトイレットロールの幅に合わされた長さを有するものとの、両方の状態を指すものとする。
・「方向」は、仮想直線上の任意の点からみて、当該仮想直線が延びる両方の向きを指す。これに対し、「向き」は、そのうちいずれか一つを指す。
【００２３】［トイレットロールの芯］
図１（ａ）に示されたとおり、トイレットロールの芯（以下、単に「芯」と呼ぶ。）１は、中空円筒状に形成された紙管である。
【００２４】  芯１は、例えばスパイラルマシンの軸棒に対して原紙を螺旋状に巻きつけることにより連続的に形成され、これが任意の長さに切断されて製造される。例えば３ｍ程度の長さに切断された後、これにトイレットペーパーが巻回される。そして、芯１とトイレットペーパーとが同時に１１４ｍｍ±２ｍｍの長さに切断されて、消費者の手元に届く製品としての、個片化されたトイレットロールとなる。なお、「１１４ｍｍ±２ｍｍ」は、ＪＩＳ  Ｐ  ４５０１（１９９３年）に規定されているトイレットロールの幅の値である。
【００２５】  芯１の軸線方向の長さは任意であるが、上述した芯１及びトイレットロールの製造工程を考慮すると、２．５ｍ〜３．５ｍが好ましく、２．８ｍ〜３．２ｍがより好ましい。消費者の手元に届く製品としてのトイレットロールの幅を考慮すれば、芯１の軸線方向の長さは１１２ｍｍ〜１１６ｍｍが好ましい。芯１の内径は、４．０ｍｍ〜４．５ｍｍが好ましい。
【００２６】  図１（ｂ）は、図１（ａ）の芯１を、軸線方向に沿って切り開いた展開図であり、芯１の内側面（うちがわめん）の様子を示している。図１（ｂ）に示されたとおり、芯１は、その内側面に、芯１の周方向のいずれか一方の向きを特定する識別子３が設けられている。ここでは、紙面下向きを特定する矢印が印刷されている。
【００２７】  当該識別子３は、芯１の軸線方向及び周方向に繰り返すように複数が印刷されている。軸線方向には、５ｍｍ〜２０ｍｍ間隔で印刷されていることが好ましい。周方向には、三等配〜八等配の位置に印刷されていることが好ましい。これらの場合、芯１の内側面を芯１の斜め方向から覗いたときに、識別子３を視認しやすい。図１（ａ）は、その覗いた様子を示しており、識別子３である矢印によって、周方向のうちの一方向の向きが特定されていることが分かる。
【００２８】  識別子３を上記のように繰り返して印刷された位置に並べることは、スパイラルマシンを用いた芯１の製造における螺旋の角度を考慮したうえで、原紙にあらかじめ識別子３を印刷しておくことにより達成することができる。すなわち、芯１の製造方法としては、芯１を構成する原紙の面のうち、製管した際に内側面となる面に識別子３を原紙の長さ方向に複数設ける工程を踏む。
【００２９】  識別子３は、文字、図形、記号、及び凹凸からなる群から選択される少なくとも一種で構成されていることが好ましい。識別子３の様々な態様を、図２に示した。図２には、それぞれが紙面下向きを特定するように、縦７種×横４種の合計２８種の識別子が描かれている。これらの態様によれば、識別子が特定する向きを容易に表現することができる。なかでも特に、矢印を含む図形が、向きの識別性が高く、好ましい。
【００３０】  識別子３を芯１の内側面に表示する方法としては、印刷が量産化に適しているが、印刷のほか、刻印、焼印、印字、押印、シール貼付等が可能である。識別子３は、上記のとおり、芯１を製管する前の原紙の段階で設けられる。このとき、製造コストや手間の観点から、他のフィルム層や紙層等の層を介さずに、原紙に直接設けられていることが好ましい。また、識別子３は、任意の色彩を有していてもよい。
【００３１】  以上説明したとおり、芯１は、周方向のいずれか一方の向きを特定する識別子３が内側面に設けられているので、この芯１を備えるトイレットロールは、識別子３が特定する向きと、この芯１に巻回されるトイレットペーパーの引き出し向きとを揃えることができる。この場合、トイレットロールをホルダーに取り付ける際に、識別子３が特定する向きを確認することにより、トイレットペーパーの引き出し向きが自分好みの向きとなるようにトイレットロールをホルダーに容易に取り付けることができる。また、芯１の形状は、芯１をホルダーの軸棒に外挿するときに特別な障害となる凹凸がない円筒形であるため、ホルダーの軸棒に対してどちらの向きにも外挿することができる。更に、上記した芯の製造方法によれば、製造された長尺の芯がどこで切断されても個片化された芯１の両端部に識別子３が位置する確率が高い芯を製管することができる。
【００３２】［トイレットロール］
図３は、芯１を備えるトイレットロール１０を示している。トイレットロール１０は、芯１と、芯１に巻回されたトイレットペーパー５とを備えてなるものである。ここで、トイレットペーパー５は、芯１の外側面を基端として識別子３が特定する向き（図３では左回り）に巻回されている。
【００３３】  このトイレットロール１０は、識別子３が特定する向きと、トイレットロール１０をホルダーに取り付けた後のトイレットペーパー５の引き出し向き（すなわち、引き出したときに芯１が回転する向き）とが一致している。ゆえに、識別子３が特定する向きを把握することにより、トイレットペーパー５の引き出し向きが自分好みの向きとなるようにトイレットロールを容易に取り付けることができる。
【００３４】  トイレットペーパー５は薄く柔らかいものであるため、従来は、新品のトイレットロールを扱う際、最表面の糊付けされた部分（図３の５１）の周囲を観察しても状況がよく分からなかったり、最端部（図３の５２）をつまんで糊付けを剥がすにもうまく剥がれなかったりして、煩わしい思いをしていた。本実施形態のトイレットロール１０では、識別子３のお蔭で、そうした煩わしい思いをすることがない。
【００３５】  以上、本発明の好ましい実施形態について説明したが、本発明は上記実施形態に限定されず、他にも様々な態様で実施することができる。例えば、識別子は、芯の軸線を中心とする螺旋に沿うように複数設けられていてもよい。この場合、芯をスパイラルマシンで連続的に製管する場合に、原紙に対して単純な繰り返しパターンとして識別子を設ければよくなるため、識別子を設けやすいという利点がある。この態様について、図４に一例を示した。図４は、長さが１１４ｍｍの芯１Ａを軸線方向に沿って切り開いた展開図を示している。ここで、符号７は、螺旋状に巻かれた原紙の境目を示している。
【００３６】  また、識別子を設けるのはトイレットロールの芯に限られず、紙管全般に対して設けることができる。識別子を設けることは、例えば、フィルム用の紙管、ラップ用の紙管、テープ用の紙管等、巻かれた物の巻回の向きを識別する必要があるものに対して有用である。
【産業上の利用可能性】
【００３７】  本発明は、トイレットロールが使用される状況において利用可能である。
【符号の説明】
【００３８】１，１Ａ  …芯
３        …識別子
５        …トイレットペーパー
５１        …糊付けされた部分
５２        …最端部
７        …原紙の境目
１０      …トイレットロール
【図１】
2016026543.tif 000003
【図２】
2016026543.tif 000004
【図３】
2016026543.tif 000005
【図４】
2016026543.tif 000006